(57)【要約】  棚板を備えるショーケースに用いる照明装置において、棚板に陳列する商品を効率的に照明可能な配光特性と、防水・防塵機能を有する照明装置を提供し、この照明装置を備えて、商品を高効率に照明可能で水や埃が入り込まず、安定して照明可能な棚板ユニットおよびショーケースを提供する。光源２からの光を反射しながら射出部まで導光し、射出部から所定方向に向けて射出すると共に、射出部を防水カバー７で覆い、導光経路を介して導光される導光方向と、防水カバーの外面の垂線との成す角度θ１が、ブリュースター角よりも大きな角度とされ、防水カバーの外面が商品側に向かって傾斜した構成の照明装置１（１Ａ〜１Ｄ）とし、棚板５にこの照明装置１（１Ａ〜１Ｄ）を取り付けて一体化した棚板ユニット５０、５０Ａとし、この棚板ユニットを複数段備えるショーケースＳＣとした。
2012165190.tif 000002
【特許請求の範囲】
【請求項１】
棚板の先端に装着され、前記棚板の正面から観察した時の幅方向に沿って配設される光源と、該光源から出射された光が入射する入射面と、該入射面から入射した光を前記幅方向と直交する方向に導光する導光経路と、導光された光を前記棚板上に陳列された商品側に向けて射出する第一射出面と、を備える導光体を有し、前記棚板上に陳列される商品を照明する照明装置であって、
前記導光体は、前記導光経路を形成する相対向した第一面と第二面とを有し、前記第一射出面側に、空気層を挟んで透光性と防水性を有する防水カバーを設置し、当該防水カバーの外面を前記商品側に向かって傾斜させ、前記導光経路を介して導光される導光方向と、前記防水カバーの外面の垂線との成す角度θ１を、前記防水カバーのブリュースター角よりも大きな角度としたことを特徴とする照明装置。
【請求項２】
前記導光経路を介して導光される導光方向と、前記第一射出面の垂線とのなす角θ２をブリュースター角よりも大きな角度で、前記商品側に傾けたことを特徴とする請求項１に記載の照明装置。
【請求項３】
前記第一面の外側に空気層を挟んで第一反射面を設け、前記第二面外側に空気層を挟んで第二反射面を設けたことを特徴とする請求項１または２に記載の照明装置。
【請求項４】
前記θ１およびθ２は８０°よりも小さいことを特徴とする請求項２または３に記載の照明装置。
【請求項５】
前記θ２を前記θ１よりも大きな角度とし、形成された空間部に前記防水カバーを保持する筐体を配置したことを特徴とする請求項２から４のいずれかに記載の照明装置。
【請求項６】
前記第一面の前記第一射出面に近接した領域に所定の拡散特性を有する拡散部を設けたことを特徴とする請求項１から５のいずれかに記載の照明装置。
【請求項７】
前記導光体は、前記光源からの光を異なる二方向に分岐する光路分岐部を備え、前記導光経路として、前記光を、前記第一射出面に向けて導光する第一導光経路と、該第一導光経路と逆方向に導光する第二導光経路を有することを特徴とする請求項１から６のいずれかに記載の照明装置。
【請求項８】
前記導光体は前記棚板の正面から観察した時の幅方向に複数に分割され、前記防水カバーは前記幅方向に一体に形成されていることを特徴とする請求項１から７のいずれかに記載の照明装置。
【請求項９】
前記光源は、前記棚板の正面から観察した時の幅方向に沿って配設される複数のＬＥＤ光源からなることを特徴とする請求項１から８のいずれかに記載の照明装置。
【請求項１０】
請求項１から９のいずれかに記載した照明装置を先端部に設けたことを特徴とする棚板ユニット。
【請求項１１】
請求項１０に記載された棚板ユニットを複数段備えたことを特徴とするショーケース。
【発明の詳細な説明】
【技術分野】
【０００１】
本発明は、棚板用の照明装置およびこの照明装置を備えたショーケースに関し、例えば、棚板の先端に配設され、棚板上に陳列される商品の照明に好適な照明装置、この照明装置を備えた棚板ユニットおよびショーケースに関する。
【背景技術】
【０００２】
従来から、ショーケースに配設され、ショーケースに陳列された商品を照明するものとして、蛍光灯が広く用いられている。蛍光灯は、一般に電気エネルギーを可視放射、赤外放射、紫外放射に変換し、可視光線を放射することで、照明として用いるものである。その際、熱損失が生じるため、蛍光灯自体のみならず、当該蛍光灯による輻射熱によって、陳列された商品が加熱されるという問題があり、ショーケース用の照明装置の光源としては、必ずしも好ましいものとはいえない。【０００３】
近年、発光効率の向上や発光量の増加と共に、寿命が長く消費電力が小さくて、環境にやさしいとされるＬＥＤ（Light  Emitting  Diode：発光ダイオード）を用いた照明装置が実用化されつつある。また、青色ＬＥＤチップが開発されて以来、この青色ＬＥＤチップと、このＬＥＤチップからの光に励起されて所定波長の励起光を発光する蛍光体と、を組み合わせて白色発光する白色ＬＥＤ光源や、青色ＬＥＤチップと緑色ＬＥＤチップと赤色ＬＥＤチップとの三原色のＬＥＤチップを用いて白色光を合成する白色ＬＥＤ光源が開発されている。【０００４】
そのために、照明装置として、この白色ＬＥＤ光源を配設したＬＥＤ照明装置が用いられている。特に、ショーケースなどの陳列棚の照明装置として、消費電力が小さく、発熱も小さいＬＥＤ光源を用いることが模索されており、例えば、棚板先端に配置し、棚上に陳列された商品を照明するＬＥＤ照明を設けたショーケースが既に提案されている（例えば、特許文献１参照）。【０００５】
この特許文献１に記載されたショーケースは、商品の落下を防止するために設置するガードを透光性の板材から構成し、ＬＥＤ照明装置からの光をガード上端部から棚上の商品に向けて照射している。
【先行技術文献】
【特許文献】
【０００６】
【特許文献１】特開２０１０−８２１１５号公報
【発明の概要】
【発明が解決しようとする課題】
【０００７】
棚板用の照明装置は、商品上で照度ムラのない均一な照明が望まれる。また、ショーケースなどの棚板用の照明装置としては、その設置場所により、水や埃がかかる可能性が高い。また、導光体であるガードは外部に露出しているために、傷付きやすい。導光体表面に水滴、埃が付いたり傷付いたりすると、その部分で光が導光経路から射出され、照明のムラが発生して好ましくない。【０００８】
しかし、特許文献１に記載されたショーケースは、落下防止用のガードを照明装置の導光体として使用しているために、ガードが露出しており、傷付きやすく、水や埃も付きやすくなっており、防水性や防塵性の観点からは好ましくない。【０００９】
また、ガードの上端面から射出される高輝度の照明光が観察者側に向かうために、観察者は眩しく、快適に商品を観察することができない。【００１０】
そのために、ショーケースなどの棚板の先端に装着して用いる照明装置は、棚板に陳列する商品を効率的に照明可能な配光特性を有し、さらに、防水・防塵機能を有することが好ましく、観察者が眩しくなく、容易に観察でき、清掃時に水や埃が入らずに容易に清掃可能で安定して照明可能な棚板ユニットおよびショーケースであることが好ましい。【００１１】
本発明は、上記の事情に鑑みてなされたものであって、棚板の先端に装着して用いる照明装置において、棚板に陳列する商品を効率的に照明可能な配光特性と、防水・防塵機能を有する照明装置を提供し、この照明装置を備えて、商品を高効率に照明可能で水や埃が入り込まず、安定して照明可能な棚板ユニットおよびショーケースを提供することを目的とする。
【課題を解決するための手段】
【００１２】
上記目的を達成するために本発明は、棚板の先端に装着され、前記棚板の正面から観察したときの幅方向に沿って配設される光源と、該光源から出射された光が入射する入射面と、該入射面から入射した光を前記幅方向と直交する方向に導光する導光経路と、導光された光を前記棚板上に陳列された商品側に向けて射出する第一射出面と、を備える導光体を有し、前記棚板上に陳列される商品を照明する照明装置であって、前記導光体は、前記導光経路を形成する相対向した第一面と第二面とを有し、前記第一射出面側に、空気層を挟んで透光性と防水性を有する防水カバーを設置し、当該防水カバーの外面を前記商品側に向かって傾斜させ、前記導光経路を介して導光される導光方向と、前記防水カバーの外面の垂線との成す角度θ１を、前記防水カバーのブリュースター角よりも大きな角度としたことを特徴としている。【００１３】
上記の構成によると、棚板上に陳列された商品側を照明する第一射出面に防水カバーを設けているので、光源部や装置内部への水や埃の入り込みを防止できる。また、導光経路を導光体の第一面と第二面とで形成しているので、この第一面と第二面とで全反射させながら射出面まで導光でき、光源からの光を高効率に導光して射出することができる。また、防水カバーの傾きを、カバー材料のブリュースター角よりも大きな角度商品側に傾けることで、照明光を高効率で商品側に向けて配光制御でき、棚板上に陳列される商品を効率よく照明できると共に、観察者側に向かう光を低減することができる。そのために、観察者が眩しくなく、棚板に陳列する商品を効率的に照明可能な配光特性と、防水・防塵機能を有する照明装置を得ることができる。【００１４】
また本発明は上記構成の照明装置において、前記導光経路を介して導光される導光方向と、前記第一射出面の垂線とのなす角θ２をブリュースター角よりも大きな角度で、前記商品側に傾けたことを特徴としている。この構成によると、防水カバーだけでなく、導光体の射出面を、キャップ部材を、ブリュースター角よりも大きな角度、商品側に傾けることで、棚板上に陳列される商品をより効率的に照明でき、観察者が商品を観察するときの眩しさをさらに低減することができる。【００１５】
また本発明は上記構成の照明装置において、前記第一面の外側に空気層を挟んで第一反射面を設け、前記第二面外側に空気層を挟んで第二反射面を設けたことを特徴としている。この構成によると、導光経路中に全反射条件から外れて外部に射出される光を、導光経路に戻して、効率よく射出面まで導光することができる。【００１６】
また本発明は上記構成の照明装置において、前記θ１およびθ２は８０°よりも小さいことを特徴としている。この構成によると、θ１やθ２が８０°よりも大きいと、同行経路の上下幅に対して、射出面の上下幅を大きくすることが必要となるので、θ１およびθ２を８０°よりも小さくすることで、照明装置のサイズをコンパクトにできる。【００１７】
また本発明は上記構成の照明装置において、前記θ２を前記θ１よりも大きな角度とし、形成された空間部に前記防水カバーを保持する筐体を配置したことを特徴としている。この構成によると、この筐体に防水カバーを取り付けて、内部に水や埃を入り込ませないように封止することができ、防水性を高めることができる。【００１８】
また本発明は上記構成の板照明装置において、前記第一面の前記第一射出面に近接した領域に所定の拡散特性を有する拡散部を設けたことを特徴としている。この構成によると、射出直前の光束を所定範囲拡散して射出面に向けて反射するので、均一な照明光を生成できる。すなわち、高効率で配光特性を維持したまま導光でき、均一な照明光を射出することができる。【００１９】
また本発明は上記構成の照明装置において、前記導光体は、前記光源からの光を異なる二方向に分岐する光路分岐部を備え、前記導光経路として、前記光を、前記第一射出面に向けて導光する第一導光経路と、該第一導光経路と逆方向に導光する第二導光経路を有することを特徴としている。この構成によると、第一導光経路を介して棚板の上側を照明し、第二導光経路を介して棚板の下側を照明できる。すなわち、棚板の上下を同時に照明可能な照明装置を実現できる。また、上側に設ける防水カバーにより、水や埃の入り込みを防止することができる。【００２０】
また本発明は上記構成の照明装置において、前記導光体は前記棚板の正面から観察した時の幅方向に複数に分割され、前記防水カバーは前記幅方向に一体に形成されていることを特徴としている。この構成によると、導光体を所定の幅の集合体として作製できるので、製造コストを削減できる。また、防水カバーは長手方向（棚板の正面から観察したときの幅方向）に一体であるので、導光体間の隙間からの水や埃の入り込みを十分防止することができる。【００２１】
また本発明は上記構成の照明装置において、前記光源は、前記棚板の正面から観察した時の幅方向に沿って配設される複数のＬＥＤ光源からなることを特徴としている。この構成によると、高照度で消費電力が小さく、発熱も小さい高効率の照明装置を実現することができる。【００２２】
また本発明は、上記照明装置を先端部に設けた棚板ユニットであることを特徴としている。この構成によると、観察者が眩しくなく、商品を高効率に照明可能で水や埃が入り込まず、安定して照明可能な棚板ユニットを得ることができる。【００２３】
また本発明は、上記棚板ユニットを複数段備えるショーケースであることを特徴としている。この構成によると、複数段の棚に陳列された商品を高効率に照明可能で水や埃が入り込まず、安定して照明可能なショーケースを得ることができる。
【発明の効果】
【００２４】
本発明によれば、商品側に向けて照明光を射出する第一射出面に透光性と防水性を有する防水カバーを設けているので、この射出面から水や埃が入り込まない。また、防水カバーの傾きを、カバー材料のブリュースター角よりも大きな角度商品側に傾けることで、照明光を高効率で商品側に向けて配光制御でき、棚板上に陳列される商品を効率よく照明でき、観察者側に向かう光を低減することができる。そのために、観察者が眩しくなく、棚板に陳列する商品を効率的に照明可能な配光特性と、防水・防塵機能を有する照明装置を得ることができる。また、この照明装置を用いて、観察者が眩しくなく、商品を高効率に照明可能で水や埃が入り込まず、安定して照明可能な棚板ユニットおよびショーケースを得ることができる。
【図面の簡単な説明】
【００２５】
【図１】本発明に係る照明装置を装着した棚板を示す概略断面図である。
【図２】第一実施形態の照明装置の構成を示す概略断面図である。
【図３】屈折率１．５の透光性部材における入射角度と反射率の関係を示す図である。
【図４】第一実施形態の照明装置の照明光の輝度分布を示す図である。
【図５】拡散部における光束の拡散状態を示す概略断面図である。
【図６】第二実施形態の照明装置を示す概略断面図である。
【図７】第二実施形態の照明装置の照明光の輝度分布を示す図である。
【図８】第三実施形態の照明装置を示す概略断面図である。
【図９】第三実施形態の照明装置を示す概略断面図である。
【図１０】導光体の構成を示す概略斜視図である。
【図１１】第四実施形態の照明装置を示す概略断面図である。
【図１２】棚板の上下を同時に照明する照明装置を備えた棚板ユニットを示す概略断面図である。
【図１３】複数段の棚板を有するショーケースの一例を示す側面図である。
【発明を実施するための形態】
【００２６】
以下に本発明の実施形態を図面を参照して説明する。また、同一構成部材については同一の符号を用い、詳細な説明は適宜省略する。
【００２７】
本発明に係る照明装置１は、例えば、図１に示すように、棚板５の先端に装着され、棚板５上に陳列する商品を照明するために用いられる。また、プライスレール４を備えたショーケースなどの場合は、棚板５の先端５ａと、プライスレール４との間に装着される。
【００２８】
次に、図２を用いて本発明に係る照明装置の第一実施形態について説明する。図２に示す照明装置１Ａは、棚板の長手方向（正面から観察したときの幅方向に相当し、以降、棚板の幅方向と称する）に沿って配設される光源２と、該光源２から出射された光が入射する入射面３１と、該入射面から入射した光を前記幅方向と直交する方向に導光する導光経路１０Ａと、導光された光を棚板上に陳列された商品側に向けて射出する第一射出面３２と、を備える導光体３Ａを有する。
【００２９】
導光体３Ａは、導光経路１０Ａを形成する相対向する第一面３４ａと第二面３４ｂとを有する。また、第一射出面３２は、棚板上に陳列された商品に向かって傾斜しており、外側に空気層を挟んで配置され透光性と防水性を有する防水カバー７を設置している。また、防水カバー７の外面を商品側に向かって傾斜させ、導光経路１０Ａを介して導光される導光方向と、防水カバー７の外面の垂線との成す角度θ１を、防水カバー７のブリュースター角よりも大きな角度としている。
【００３０】
ここで用いる光源２は、棚板の幅方向に照明光を射出する光源であればよく、例えば、線状の光源（冷陰極管）や棚板の幅方向に間隔をおいて配設する複数の点状光源（ＬＥＤ）を用いることができる。また、導光体３Ａの入射面３１は下向きに、第一射出面３２は上向きに配置され、この入射面３１に対向するように光源２が配設されていて、光源２からの光は、略鉛直方向に配置される導光経路１０Ａに沿って上向きに導光され、防水カバー７の外面７ａから、商品側に向けて射出される。
【００３１】
光源２がＬＥＤ光源であれば、棚板の幅方向に基板２１を配設し、この基板２１に複数のチップ型のＬＥＤ光源を搭載する。また、例えば、青色ＬＥＤチップと、このＬＥＤチップからの光に励起されて所定波長の励起光を発光する蛍光体と、を組み合わせて白色発光する白色ＬＥＤ光源を用いる。基板２１は、例えば、棚板の全幅を均一に照明するために、棚板の幅程度の長さとされ、この上にＬＥＤ光源を所定ピッチで複数個搭載している。ただし、棚幅が広い場合は、複数の基板に分け、それぞれを電気的に接続する構成としてもよい。
【００３２】
また、導光経路１０Ａを形成する相対向する第一面３４ａと第二面３４ｂの外側には、それぞれ空気層を挟んで第一反射面１１と第二反射面１２とが設置され、この第一反射面１１と第二反射面１２の上部に防水カバー７が取り付けられている。
【００３３】
導光体３Ａは、可視光を透過する透明な材料（例えば、屈折率が約１．５のＰＭＭＡ：アクリル）からなる。光源２から出射された光束は、第一面３４ａと第二面３４ｂとの間を全反射しながら第一射出面３２に向けて導光される。また、全反射角から外れた光束は、第一反射面１１と第二反射面１２とで反射され、再び導光体３Ａ内に戻されて、全ての光束を、第一射出面３２から射出している。
【００３４】
第一反射面１１および第二反射面１２は、導光体３Ａを収容するフレームの内面を、例えば、アルミ製板金に白色塗装の白色反射処理やミラー処理を施した反射面として形成する。また、アルミ製板金に替えて樹脂材を用いて、その内面にミラー処理やミラーフィルムを貼付してもよい。
【００３５】
防水カバー７は、第一反射面１１と第二反射面１２を備えるフレームの上部を覆うように配置され、上からの水の浸入を防ぐように構成されている。そのために、底面部に設ける基板２１上にＬＥＤ光源を設置して使用する場合、基板２１部およびＬＥＤ光源部への水の浸入を防ぐことで、短絡（ショート）やＬＥＤの劣化などを防ぐことができる。
【００３６】
また、この第一実施形態の照明装置１Ａが備える防水カバー７は、図に示すように、相対向して設置される第一反射面１１と第二反射面１２の上端部に傾斜して配設される平板状の透光性部材（例えば、可視光透過率が高く、耐薬品性も高いポリカーボネート、および、防傷のためのハードコートを施したもの）からなる。すなわち、防水カバー７が備える入射面（内面）と射出面（外面７ａ）とは略平行であり、棚板上に陳列される商品に向かうように傾斜している。例えば、導光経路１０Ａを介して導光される方向と、外面７ａの垂線とのなす角θ１が約６５°傾いている。
【００３７】
また、観察者側の第一面３４ａの第一射出面３２に近接した領域に所定の拡散特性を有する拡散部１４を設けている。所定の拡散特性とは、拡散角度σが５°〜２０°（例えば、σ１０°のガウス散乱特性）程度が好ましい。拡散角度が大き過ぎると、照明光が広角度に発散してしまい、無駄な領域まで照明し照明効率が低下する。
【００３８】
このように、射出面に近接した領域に所定の拡散特性を有する拡散部１４を設けた構成であれば、射出直前の光束を所定範囲拡散して射出面に向けて反射するので、均一な照明光を生成できる。すなわち、高効率で配光特性を維持したまま導光でき、均一な照明光を射出することができる。
【００３９】
また、第一面３４ａと第二面３４ｂ、または、第一反射面１１と第二反射面１２を、拡散反射面として、所定の領域に設ける拡散部１４の拡散角度を小さくできるようにしてもよい。
【００４０】
このような構成であれば、光源２から射出された光は、導光体入射面３１から導光体に入射し、導光体の全反射条件を満たす光線は導光体内部を全反射しながら第一射出面３２まで導光される。また、全反射条件を満足しない光線は、拡散反射面である第１および第２反射面間で拡散反射しながら第一射出面３２まで導光される。
【００４１】
第１反射面１１および第２反射面１２が鏡面のとき、導光体の拡散領域に到達する光線の略全てが光源２から射出された状態を保存しているために、照明の均一化、色ムラの低減を図るためには、拡散部１４の拡散度を大きくする必要がある。
【００４２】
特に、観察者側の反射面（第１反射面１１）により、照明光を商品側へ効率よく射出すると同時に、全反射条件を外れた照明光が観察者側へ射出し、観察者が眩しくなることを防ぐことができる。また、不要な照明光を射出しないことにより照明装置の省エネ化も可能となる。
【００４３】
全反射は略１００％の反射率を有するため、光を効率的に入射面から射出面へと導光することができる。一方、反射面による面間反射で光源部から射出部へ導光する場合は、反射面の反射率が全反射と比較して低いことから、導光光のエネルギーの減衰が、全反射に比べて大きい。
【００４４】
すなわち、導光経路１０Ａに導光体３Ａを配置し、導光体３Ａの全反射条件を満たす光線は全反射させて導光させることにより効率よく、光源２からの光を射出部へと導くことができる。
【００４５】
第一射出面３２まで到達した光は、屈折して射出され、空気層を介して第一射出面３２と略平行に配置された防水カバー７に入射し、防水カバー外面７ａから射出し、照明光として、棚板上に陳列された商品を照明する。
【００４６】
屈折面における入射角が大きい場合、界面におけるフレネル反射を考慮しなければならないことが知られている。これは、図３に示すフレネル反射の入射角度と反射率との関係から判るように、屈折率が１．５の媒質に入射する光は、約６０°よりも入射角が大きくなると、すなわち、ブリュースター角（約６０°）よりも大きくなると、反射率は急激に増加するからである。この図３には、屈折率ｎ＝１．５の媒質に入射するｐ波の反射率（ｐ反射率）とｓ波の反射率（ｓ反射率）とこれらの平均反射率を示している。
【００４７】
言い換えれば、屈折率１．５の媒質から空気中（屈折率１．０）へ射出される光線を考えると、この射出角がブリュースター角以上になると、光の射出効率が急激に低下する。
【００４８】
一方、棚板の先端に設置し、棚の上方に向かって、主に商品のフェイス面を照明するための照明装置では、照明光の配光中心が、真上よりも少し棚板側に傾いている状態が好ましい。直上よりも観察者側へ照明光が射出されると、観察者は照明光が眩しくて商品を良好に観察できない。また、配光中心が棚板側へ大きく傾くと、商品の下部のみを明るく照らす照明となってしまい、フェイス面全体を均一に良好に照明することは難しい。
【００４９】
本実施形態では、鉛直方向と防水カバー７の射出面（外面７ａ）の垂線とのなす角θ１が約６５°であり、鉛直方向と第一射出面３２の垂線とのなす角θ２も約６５°としている。このように、θ１、θ２ともに、ブリュースター角より、大きな角度を持たせることにより、射出角度が負、すなわち観察者側へ向かう照明光を低減することができる。
【００５０】
このような形態の防水カバー７を備える照明装置１Ａの放射輝度特性について図４を用いて説明する。
【００５１】
図に示す横軸は、導光される真上方向を０°とし、棚板に向かう時計周りの角度を正の方向とする放射角θＡを示す。また、縦軸に輝度（相対値）を示す。従って、０°が真上、９０°が棚板と平行方向、負の角度は観察者側へと射出される光を意味する。この図から、本実施形態の照明装置１Ａは、鉛直方向から約３０°傾いた位置に輝度ピークＲ１を有し、０°＜θＡ＜９０°の範囲、すなわち棚板上に陳列された商品を良好に照明できる配光特性を有していることが判る。
【００５２】
棚板先端に取り付けた小型（棚板厚さと同等レベルの高さを有する）照明装置を用いて棚板上の商品を照明する場合、フェイス面（垂直面）照度を均一とするためには、放射輝度の角度特性がｓｉｎθの二乗に反比例することが好ましい。これは、照明装置とフェイス面との距離がｓｉｎθに略比例するからである。
【００５３】
本実施形態では、３０°付近に輝度ピークＲ１を有し、９０°に向かうにつれて次第に輝度が低下していることから、棚板から上方６０°の範囲で、棚板上のフェイス面照度を均一にできることが判る。言い換えれば、棚板先端に配置しても商品観察の邪魔にならない小型の照明装置で、上方の広い範囲を照明可能な照明装置を実現できることが判る。
【００５４】
また、θＡ＜０°、即ち観察者側へ射出される光は略ないので、観察者は、眩しくなく快適に商品を観察することができる。
【００５５】
図５に示すように、第１面の第一射出面３２に対向する領域に拡散部１４を設けているので、射出直前の反射面で拡散し、光源２からの光線ＬＡは第一射出面３２および防水カバー７から光線ＬＡ１、ＬＡ２として所定の角度範囲で射出する。また、一部の光線ＬＡ３は、第一射出面３２で全反射し、再び導光体内に導かれる。すなわち、光源２からの光は、拡散部１４に至るまでは全反射により高効率で導光し、射出直前で照明光を均一にして、照明光の均一化、色分散による色ムラの低減を図ることができる。
【００５６】
特に光源として白色ＬＥＤ光源を用いるとき、一般に白色ＬＥＤ光源は、青色ＬＥＤチップと、このＬＥＤチップからの光に励起されて所定波長の励起光を発光する蛍光体とを組み合わせて白色発光するタイプか、青色ＬＥＤチップと緑色ＬＥＤチップと赤色ＬＥＤチップとの三原色のＬＥＤチップを用いて白色光を合成するタイプであるため、複数の波長に離散的に発光ピークを有することになり、屈折角度の大きな配置で使用する場合には、色分散による色ムラが強度ムラとして目だって観察される。
【００５７】
しかし、射出前に拡散部により射出面への入射角度を一定の角度範囲でランダムにしておれば、平均化され、色ムラが観察されないレベルまで低減することができる。
【００５８】
上記したように、本実施形態に係る照明装置１Ａによれば、商品側に向けて照明光を射出する第一射出面に防水カバー７を設けているので、光源部や装置内部への水や埃の入り込みを防止できる。また、防水カバー７の傾きを、カバー材料のブリュースター角よりも大きな角度商品側に傾けることで、照明光を高効率で商品側に向けて配光制御でき、棚板上に陳列される商品を効率よく照明できると共に、観察者側に向かう光を低減することができる。そのために、観察者が眩しくなく、棚板に陳列する商品を効率的に照明可能な配光特性と、防水・防塵機能を有する棚板照明装置を得ることができる。
【００５９】
次に、図６を用いて第二実施形態の照明装置１Ｂについて説明する。
【００６０】
照明装置１Ｂは、断面長方形状で略水平な射出面３２Ｂを有する導光体３Ｂを備える。その他の構成については、先に説明した照明装置１Ａと同様であり、相違する部分を主に説明する。光源２から射出され、導光体３Ｂに入射し、導光体中を射出面３２Ｂまで導かれた光は、略鉛直方向に配光中心を有する光束として、導光体３Ｂと防水カバー７の間の楔状の空気層へ射出される。
【００６１】
また、本実施形態では、防水カバー７の射出面の垂線と鉛直方向との成す角θ１を約７０°としている。７０°でも防水カバー７材のブリュースター角（約６０°）よりも大きい角度であり、防水カバー７から射出される光束は、その配光中心が棚板側に傾いている。
【００６２】
導光体３Ｂの射出面３２Ｂから射出される光束は、その一部が観察者側へ射出され空気層を介して第１反射面１１に至るが、この第１反射面１１で拡散反射されて防水カバー７に向かう構成となる。そのために、この光束が棚板側に向けて射出されるので、棚板側をより効率的に照明することができる。射出面３２Ｂから射出された光束は防水カバー７から棚板上の商品に向けて射出されるので、この射出面３２Ｂも本発明の第一射出面に相当する。そのために、以降第一射出面３２Ｂとして説明する。
【００６３】
また、所定の面に光を所定角度範囲に拡散する拡散部を設けて、さらに均一な面状の照明光を生成することが可能である。例えば、第一射出面３２Ｂに近接した第一面、および、第一射出面３２Ｂ自体に、所定の散乱特性（例えば、σ１５°のガウス散乱特性）を有する拡散部１４を設ける。
【００６４】
このような構成であれば、導光体３Ｂの第一射出面３２Ｂで拡散し、光源２からの光を所定の角度範囲で射出する。また、光源２からの光は、拡散部１４に至るまでは全反射により高効率で導光し、射出直前で所定の角度範囲に拡散して照明光を均一にし、照明光の均一化、色分散による色ムラの低減を図ることができる。
【００６５】
このような形態の照明装置１Ｂの放射輝度特性について図７を用いて説明する。
【００６６】
図に示す横軸は、前述したように導光される真上方向を０°とし、棚板に向かう時計周りの角度を正の方向とする放射角θＡを示す。この図から、導光体の射出面を略水平とした本実施形態の照明装置１Ｂは、棚板側に大きな角度（５０°〜１００°）で射出する光が低減し、結果、防水カバー７から射出する照明光の射出最大角度（輝度ピークＲ２）は９０°以下であり、照明装置１Ａと比較して、θ＞３０°の範囲でよりｓｉｎθの二乗に反比例する輝度特性を有する。
【００６７】
従って、棚板面近傍で急激に照度が上がることがなく、棚板上に陳列された商品のフェイス面をより均一に照明することができる。
【００６８】
上記した照明装置１Ｂであっても、射出面側に防水カバー７を設けているので、光源部や導光経路内への水や埃の入り込みを防止できる。また、防水カバー７の傾きを、カバー材料のブリュースター角よりも大きな角度商品側に傾けることで、照明光を高効率で商品側に向けて配光制御でき、棚板上に陳列される商品を効率よく照明できると共に、観察者側に向かう光を低減することができる。そのために、観察者が眩しくなく、棚板に陳列する商品を効率的に照明可能な配光特性と、防水・防塵機能を有する棚板照明装置を得ることができる。
【００６９】
次に、図８および図９を用いて第三実施形態の照明装置１Ｃについて説明する。
【００７０】
この照明装置１Ｃは、前述した照明装置１Ａが備える導光体３Ａに替えて、光源２からの光を異なる二方向に分岐する光路分岐部を備え、導光経路として、防水カバーを配置する上向きに導光する第一導光経路と、該第一導光経路と逆向きの下向きに導光する第二導光経路を有する導光体３Ｃを用いた点が異なる。
【００７１】
また、この導光体３Ｃは、断面Ｔ型の一体形状とされる。すなわち、異なる二方向、例えば上下に分岐した第一導光経路１０Ｃａと第二導光経路１０Ｃｂを有し、さらに、光源２からの光を第一、第二導光経路に導く入射導光経路１０Ｃｃを有する。
【００７２】
この構成によると、第一導光経路１０Ｃａを介して棚板の上側を照明し、第二導光経路１０Ｃｂを介して棚板の下側を照明できる。すなわち、棚板の上下を同時に照明可能な照明装置を実現できる。また、上側に設ける防水カバー７により、導光経路内への水や埃の入り込みを防止することができる。
【００７３】
また、上下二方向から同時に照明することにより、棚板上に陳列された商品のフェイス面をより均一に照明することが可能であり、二方向から照明することで影もできにくい。
【００７４】
光源２、例えばＬＥＤ光源は基板２１に固定され、棚板の幅方向に一列に配列された複数のＬＥＤを有する。また、光源２からの光を異なる二方向に分岐する光路分岐部を介して、棚板の上下を同時に照明できる。
【００７５】
断面Ｔ型の軸部に相当する入射部３１Ｃをフレーム１３Ｃを用いて保持し、このフレーム１３Ｃに光源２を搭載する基板２１を固定する。導光体３Ｃ、フレーム１３Ｃ、および、基板２１は、図面を貫通する方向を長手方向とする長尺部材とされ、例えば、ＬＥＤ光源からなる光源２が長手方向に複数並設された構成とされる。また、フレーム１３Ｃは、導光体３Ｃの入射部３１Ｃを保持する上反射板１３Ｃａと下反射板１３Ｃｂを備える。
【００７６】
また、入射部３１Ｃは、光源２に対向する面にＶ溝状の入射面を備えており、異なる二方向に光束を分岐する第一入射面３１Ｃａと第二入射面３１ＣｂとがＶ溝状に交差している。すなわち、入射面の光源２に対向する位置に、略Ｖ型断面の屈折面を設けて光束分岐部を形成している。このような構成であれば、光源２が射出する光を、直接受けて異なる二方向に分岐するので、それぞれの射出面（第一射出面３２Ｃ、第二射出面３３Ｃ）に効率的に導光することができて好ましい。
【００７７】
また、入射部３１Ｃに対向する面（第一面３４Ｃａ）側に第一反射板１１Ｃを取り付け、この第一反射板１１Ｃと対向する位置にある背面部に第二反射板１２Ｃを取り付けていて、この第一反射板１１Ｃと第二反射板１２Ｃとで、導光体３Ｃの第一導光経路１０Ｃａを構成する胴体部を挟持する。
【００７８】
導光体３Ｃは，屈折率１以上の透明体で構成される。本実施形態では、屈折率が約１．５のＰＭＭＡ製としたが、これ以外の材質からなる導光体でもよく、用途に応じて、ガラス材料、ＰＭＭＡ以外のアクリルやポリカーボネートなどの透明樹脂を用いてもよい。
【００７９】
導光体３Ｃと全ての部材（反射板）の間は空気層であり、導光体中を導光する光は、導光体３Ｃの屈折率に応じ、全反射条件を満足する場合は、導光体面で全反射し、全反射条件を満足しない場合は、一旦導光体３Ｃから出た後、反射板面で反射し、再び導光体中に戻り、射出面に向かって導光される。反射板の表面にミラーシートを貼り付けてもよい。反射板面の反射率を上げることにより、より効率的に導光することができる。
【００８０】
Ｖ型断面の光束分岐部を形成する第一入射面３１Ｃａと第二入射面３１Ｃｂの交差角度は例えば１２０度である。この交差角度は、光源２の発光面サイズや発光角、導光体３Ｃの厚み、照明光の射出方向などにより、９０〜１５０度の範囲で設定される。この光束分岐部を介して、光源２から射出された光は、Ｖ溝形状の入射面で、直進方向から屈折され、直進方向に対し、異なる二方向に（例えば、上側と下側に向かう光に）分岐され、導光体中を射出面に向かって導光される。
【００８１】
異なる二方向に分岐され上側に向かい、上側の射出面から棚板上の商品に向けて照明光が射出されるので、この上側の射出面が第一射出面３２Ｃである。また、下側に向かう照明光は、第二射出面３３Ｃから下側の商品に向けて射出される。
【００８２】
図中に、照明光の主な光線を破線で示す。光線Ｌ１は、光源２から射出し、第一入射面３１Ｃａで屈折し、上反射板１３Ｃａに当らず第一面に到達し、第一面外側の第一反射板１１Ｃで反射された後、第二反射板１２Ｃとの間で繰り返し反射して第一射出面３２Ｃに導かれ、屈折して照明ユニットの後上方に向かって射出される。
【００８３】
光線Ｌ２は、光源２から射出し、第二入射面３１Ｃｂで屈折し、下反射板１３Ｃｂに当らず第一面に到達し、第一面外側の第一反射板１１Ｃで反射された後、下側射出面となる第二射出面３３Ｃに導かれ、屈折して照明ユニットの後下方に向かって射出される。
【００８４】
光線Ｌ３は、光源２から射出し、第二入射面３１Ｃｂで屈折し、下反射板１３Ｃｂで全反射して第一面に到達する。その後、光線Ｌ１と略同様の振る舞いにより第一射出面３２Ｃに導かれ、屈折して射出される。
【００８５】
光線Ｌ４は、光源２から射出し、第一入射面３１Ｃａで屈折し、上反射板１３Ｃａで全反射して第一面に到達する。その後、一旦第二射出面３３Ｃａで反射し、再度第一面で反射した後第二射出面３３Ｃに導かれ、屈折して照明ユニットの後下方に向かって射出される。
【００８６】
そのために、上反射板１３Ｃａと下反射板１３Ｃｂの間隔および長さを最適に設定することにより、光線Ｌ１と同様の振る舞いをする光束と、光線Ｌ３と同様の振る舞いをする光束の配光特性が、共に所望の照明光配光特性となるように制御することにより、光源２から射出された光を無駄なく、効率的に照明光として用いることができ、高効率の明るい照明装置を実現することができる。光線Ｌ２と光線Ｌ４の振る舞いについても同様である。
【００８７】
また、本実施形態では、鉛直方向と防水カバー７Ｃの射出面（外面７Ｃａ）の垂線との成す角度θ１は約６５°とし、鉛直方向と導光体の第一射出面３２Ｃの垂線との成す角度θ２は約７５°としている。また、鉛直方向と導光体の第二射出面３３Ｃの垂線との成す角度θ２Ａも約７５°としている。
【００８８】
従って、いずれの角度も防水カバー、導光体のブリュースター角より大きく、棚板側を高効率に、また、広範囲に照明することが可能である。
【００８９】
上記したように、本実施形態では、角度θ１は約６５°とし、角度θ２は約７５°としているので、防水カバー７Ｃと第一射出面３２Ｃとの間隔が、下方にいくに従って広く形成される。そのために、この形成された空間部に防水カバー７Ｃを保持する筐体（フレーム１３Ｃの一部）を配置することができる。例えば、フレーム１３Ｃに突設係合部１３Ｃｄを設け、この突設係合部１３Ｃｄに防水カバー７Ｃに設ける下部湾曲部７Ｃａを嵌め込むようにする。このような構成であれば、上側から防水カバー７Ｃに掛かった水がフレーム内部や基板側に浸入することを防止できる。すなわち、フレーム１３Ｃに防水カバー７Ｃを取り付けて、装置内部や基板側に水や埃を入り込ませないように封止することができ、防水性と防塵性を高めることができる。
【００９０】
また、防水カバー７Ｃの上側、上部屈曲部７Ｃｂは、導光体３Ｃの上側を覆うと共に、前カバー（第一反射板１１Ｃ）と導光体３Ｃの間に挿入され保持される。このように、防水カバー７Ｃを前カバー（第一反射板１１Ｃ）と導光体３Ｃの間に挿入することにより、上側から防水カバー７Ｃに掛かった水は、前カバーと導光体３Ｃの隙間に入り込むが、前カバーと導光体３Ｃの間を伝って、図中の矢印Ｅに示すように下側に排出される。
【００９１】
前カバーの内面、つまり、第一反射板１１Ｃの内面は、所定の拡散特性を有する反射面としている。例えば、金属製カバーの内面を白塗装したもので構成できる。この拡散反射面は、例えば、ガウス散乱拡散角度σが１０°〜３０°程度に設定されることが好ましい。拡散角度が大き過ぎると、照明光が広角度に発散してしまい、無駄な領域まで照明し照明効率が下がるだけでなく、商品を観察している観察者側へ向かい、商品観察を邪魔する不要な照明となる場合が生じる。
【００９２】
導光体３Ｃの面（第一面３４Ｃａ）も拡散面であることが好ましい。この拡散面は、導光体表面に細かい凹凸を構成することにより形成することができる。また、この拡散特性も、前述した前カバー内面と同程度の拡散特性であればよい。
【００９３】
上側の第一射出面３２Ｃ、および、下側の第二射出面３３Ｃからの照明光は、その多くが射出面で大きく屈折する。従って、導光体材料の色分散により、照明光に色ムラが発生することがある。また、一度射出面に当っても全反射して第一面側に異なる角度で向かい、再度反射されて射出面より射出する光束も存在する。
【００９４】
射出面での全反射回数の違いにより、射出面からの射出方向が大きく異なるため、照度ムラが発生する。第一反射板１１Ｃの内面と導光体の第一面３４Ｃａを拡散面化することにより、これらの色ムラや照度ムラを改善し、より均一な高品位な照明装置を実現することができる。
【００９５】
図９に示すように、導光体３Ｃの上端面３５Ｃは平面部が設けられ、上側を前カバー、第一反射板１１Ｃの延設面１１Ｃａで覆っている。この照明装置１Ｃを棚板用の照明装置として用いたとき、観察者の視線よりも下側に配置される照明装置から、照明光が上側に向かって射出されると、観察者が眩しく、棚板上の物体（陳列された商品）の観察を妨げるからである。
【００９６】
導光体３Ｃの下端面３６Ｃは平面部が設けられ、照明光を下側にも射出する。棚板の先端位置が、下段に従って手前に配置される棚板では、上下後方にのみ射出される照明光のみでは、物体の上前面を高品位に照明することができない。下方のみ直下にも照明光を射出することにより、下段をより高品位に照明することができる。
【００９７】
導光体３Ｃは、図１０の斜視図に示すように、略Ｔ字形状の断面を有する長尺な構成であり、その長さは略棚板の幅程度に設定される。棚板の全幅を均一に照明するために、例えば、複数のＬＥＤ光源が、長手方向に一定の間隔で配列されている。ＬＥＤを搭載する基板も、棚板の全幅程度の長さを有する。棚幅が広い場合は、複数の基板に分割して、それぞれを電気的に接続してもよい。
【００９８】
ＬＥＤの間隔は、略前カバーの高さ（第一反射板１１Ｃの幅）程度に設定される。一般に、ＬＥＤの間隔を広くとるとＬＥＤの個数を減らすことができ、コストダウンできる。しかし、ＬＥＤの間隔が広くなればなるほど、ＬＥＤ配列方向の照明光に照度ムラができるため、照明光の光路長と同等以下に設定する必要がある。
【００９９】
本実施形態では、断面がＴ字形状であるために、光源から射出面までの光路長は、照明ユニットの上下幅よりも長く確保できている。従って、照明ユニットのサイズを上下方向に薄型に設定しても、ＬＥＤ間隔を広く設定することが可能となり、コストダウンにも有利な構成である。
【０１００】
照明ユニットの両サイドは、サイドカバー１５で覆われ、導光体の左右端面から外部に照明光が射出されない構成となっている。サイドカバー１５の内面は反射面であり、サイドカバー１５に到達した照明光は再度導光体内部に戻され、いずれかの反射面で反射した後、射出面より照明光として射出される。
【０１０１】
導光体３Ｃを用いた本実施形態の照明光学系は、上下方向に非対称である。上側のみに背面反射面（第二反射板１２Ｃ）を有し、光源から射出面までの光路を長く確保している。上側の照明光は、被照明体との距離が近くなる場合が多いため、照明装置内で照明光を均一にしておく必要があるからである。
【０１０２】
また、背面反射面（第二反射板１２Ｃ）の後方が棚板の端面に接するようにして、棚板に固定することにより、照明光学系から射出される光を、効率的に照明対象に導くことができる。
【０１０３】
照明装置の幅が広い場合、導光体３Ｃは、図に示すように幅方向に分割してもよい。例えば、導光体３ＣＡと導光体３ＣＢに二分割する。また二分割以上の複数分割構成でもよく、分割構成とすることで、複数タイプの幅の棚板に対応する際に、導光体の個数を変えるだけで変更が可能となる。また、導光体を成型により製造する場合は、小型に分割したほうが容易に成型できる。
【０１０４】
導光体３Ｃを分割構成としても、防水カバーは一体でよい。すなわち、導光体は長手方向（棚板の正面から観察したときの幅方向）に複数に分割され、防水カバーは長手方向（棚板の正面から観察したときの幅方向）に一体に形成されている。この構成であれば、導光体を所定の幅の集合体として作製できるので、製造コストを削減できる。また、防水カバーは長手方向に一体であるので、導光体間の隙間からの水や埃の入り込みを十分防止することができる。
【０１０５】
次に、図１１を用いて第四実施形態の照明装置１Ｄについて説明する。
【０１０６】
この照明装置１Ｄは、前述した照明装置１Ｃが備えるフレーム１３Ｃに替えてフレーム１３Ｄを用い、防水カバー７Ｃに替えて防水カバー７Ｄを用い、導光体３Ｄを用いた点が異なる。また、その他の構成は、照明装置１Ｃと同じであるので、ここでは詳述しない。
【０１０７】
この防水カバー７Ｄは、導光体３Ｄの上側の第一射出面３２Ｄと下側の第二射出面３３Ｄを一体に覆う形状とされる。すなわち、防水カバー７Ｄは、第一射出面３２Ｄ部を覆う上側カバー部７Ｄａと、第二射出面３３Ｄを覆う下側カバー部７Ｄｂと、これらを一体に連結する連結板部７Ｄｃを備えている。
【０１０８】
連結板部７Ｄｃは、導光体３Ｄの第一面と前カバー（第一反射板１１Ｄ）との間に挿入され挟持される。従って、防水カバー７Ｄの上から掛かった水のうち、導光体３Ｄと前カバーの間に浸入したものは、この隙間を通って下側に排水される。
【０１０９】
また、フレーム１３Ｄに第一係合部１３Ｄｄと第二係合部１３Ｄｅを設け、防水カバー７Ｄに、第一係合部１３Ｄｄに嵌合して係合する上側係合部７Ｄｄと、第二係合部１３Ｄｅに嵌合して係合する下側係合部７Ｄｅを設けて、前カバーをフレーム１３Ｄにネジ固定する際に、前カバーとフレーム１３Ｄとで挟み込んで固定する構成としている。
【０１１０】
すなわち、防水カバー７Ｄの上端と下端の両端は、固定時にフレーム１３Ｄに押し付けられて固定されるので、より密閉する構成となり防水性能を上げることができる。
【０１１１】
また、本実施形態では、鉛直方向と防水カバー７Ｄの上側射出面（上側カバー部７Ｄａの外面）の垂線との成す角度θ１は約７５°とし、鉛直方向と導光板の第一射出面３２Ｄの垂線との成す角度θ２は７４°〜７５°としている。また、鉛直方向と防水カバー７Ｄの下側射出面（下側カバー部７Ｄｂの外面）の垂線との成す角度θ１Ａも約７５°とし、鉛直方向と導光体の第二射出面３３Ｄの垂線との成す角度θ２Ａも７４°〜７５°としている。
【０１１２】
従って、いずれの角度も防水カバー、導光体のブリュースター角（約６０°）より大きく、棚板側を高効率に、また、広範囲に照明することが可能である。
【０１１３】
次に、前述した照明装置１（１Ａ〜１Ｄ）を備えた棚板ユニットおよびショーケースについて図１および図１２、図１３を用いて説明する。
【０１１４】
図１には、棚板５の上部を照明する照明装置１（１Ａ〜１Ｄ：例えば１Ａ）を備えた棚板ユニット５０を示している。この照明装置１（１Ａ）は、棚板５の前端５ａと棚板に取り付けるプライスレール４との間に装着されている。
【０１１５】
このように、棚板５に照明装置１（１Ａ）を取り付けて一体化したユニット構成とすることで、棚板５をショーケース本体に設置した後、照明装置を取り付ける手間を省くことができる。本実施形態に係る照明装置１（１Ａ）は厚み、上下幅共に小さく、軽量に構成することが可能であるため、予め、棚板と一体化した棚板ユニット５０として取り扱いが容易である。
【０１１６】
光源２（図２参照）は、例えば、複数のＬＥＤが一枚の基板２１上に略一列に等間隔で配置されており、同じ基板２１上に駆動回路用の電装部品も設置されている。基板２１からは、電源供給用の配線（不図示、リード線など）が棚板裏面側に伸びている。電源供給用の配線は、棚板本体取付け部まで棚板裏面側に固定され、棚板取付け部において、本体電源供給用の配線と、コネクタを介して接続される。
【０１１７】
照明装置１（１Ａ）は照明ユニットの上下幅を小さく構成できるので、観察者は、照明ユニットに邪魔されることなく商品を良好に観察できる。このように、棚板先端から上方に向かって照明する照明装置を用いることで、商品のフェイス面、特に下側まで、良好に観察することができる。
【０１１８】
また、図１２に示すように、棚板先端から上下に向かって照明する照明装置１（１Ｃ、１Ｄ：例えば１Ｃ）を備えた棚板ユニット５０Ａでは、商品のフェイス面および上側を良好に観察できる。すなわち、上の段の棚板５Ａの先端に取り付けた照明装置１（１Ｃ）は、棚板５Ａの上方に向かう配光中心の照明光ＲＡ１と、棚板５Ａの下方に向かう配光中心の照明光ＲＢ１とを有し、下の段の棚板５Ｂの先端に取り付けた照明装置１（１Ｃ）は、棚板５Ｂの上方に向かう配光中心の照明光ＲＡ２と、棚板５Ｂの下方に向かう配光中心の照明光ＲＢ２とを有する。
【０１１９】
そして、照明光ＲＡ１により棚板５Ａに陳列された商品Ｍ１のフェイス面を照明し、照明光ＲＡ２と照明光ＲＢ１とで、棚板５Ｂに陳列された商品Ｍ２のフェイス面と上部を同時に照明して観察容易となる。また、照明光ＲＢ１の配光中心をフェイス面から棚板奥側へと傾けることにより、棚板先端部だけでなく、棚の奥まで良好に照明できるので、棚板先端付近の商品が売れた後も、奥の商品を良好に観察できる。
【０１２０】
上記したように、照明装置１（１Ａ〜１Ｄ）を先端部に設けた棚板ユニット５０、５０Ａであれば、棚板に陳列された商品を高品位に照明できる。また、このような棚板ユニットを複数段備えるショーケースであれば、棚板上に陳列された商品を、観察容易に照明可能なショーケースを得ることができて好ましい。
【０１２１】
例えば、図１３に示すように、棚板５と照明装置１（１Ｃ、１Ｄ）が一体化された棚板ユニット５０Ａを複数段備えた構成のショーケースＳＣとする。
【０１２２】
照明装置１（１Ｃ、１Ｄ）はコンパクトな構成であって上下幅も小さくできるので、観察者（商品の購入者）は、照明装置に邪魔されることなく商品の前面を良好に観察できる。また、背の高い商品であっても、棚板先端から上方に向かって照明する照明装置を用いることにより、商品のフェイス面、特に、下側まで良好に観察できる。さらに、棚板先端から上下に向かって照明する照明装置を用いることにより、商品のフェイス面および上側を良好に観察できる。
【０１２３】
上側照明は、射出面近くに被照明物体の面が配置されることが多いため、広範囲に照明することが求められる。一方、下側照明は、照明装置が取り付けられる棚板の一段下の棚板に載置された物体の上部を照明するため、被照明物体と距離があることが多い。そのために、下側照明の配光中心を後ろ側に傾けることにより、棚板の奥まで並べられた物体を上側から照明することが可能となる。すなわち、物体表面を正面から照明すると同時に、上方から奥の方まで照明でき、棚に載置された商品などを容易に観察できる。
【０１２４】
また、本発明に係る照明装置１（１Ａ〜１Ｄ）は、商品側に向けて照明光を射出する第一射出面に透光性と防水性を有する防水カバーを設けているので、埃が入り込まない。また、防水カバーの傾きを、カバー材料のブリュースター角よりも大きな角度商品側に傾けることで、照明光を高効率で商品側に向けて配光制御でき、棚板上に陳列される商品を効率よく照明でき、観察者側に向かう光を低減することができる。そのために、観察者が眩しくなく、棚板に陳列する商品を効率的に照明可能な配光特性と、防水・防塵機能を有する照明装置を得ることができる。また、この照明装置を用いて、観察者が眩しくなく、商品を高効率に照明可能で水や埃が入り込まず、安定して照明可能な棚板ユニットおよびショーケースを得ることができる。
【０１２５】
また、導光経路を形成する反射面や入射面や射出面のいずれかを拡散面化して所定角度範囲に拡散する拡散部１４を設けることにより、光源（ＬＥＤ光源）の色ムラや照度ムラを改善し、より均一な高品位な照明装置を実現することができる。
【０１２６】
また、棚板と照明装置を一体化した構成の棚板ユニットであれば、取り扱いが容易となって好ましい。また、この棚板ユニットを上下に複数段設けたショーケースであれば、棚板上に陳列された商品を棚板の上下から均一に照明可能となって好ましい。
【０１２７】
また、光源として、高照度で、消費電力が小さく、発熱も小さいＬＥＤ光源を用いることで、高効率の棚板用の照明装置を実現することができる。
【０１２８】
上記したように、本発明に係る照明措置は、光路中に導光体を配置して効率的に導光し、防水カバーを取り付け、防水カバーの射出面の傾きをブリュースター角以上に傾けることで、商品側を効率的に照明できる配光特性を有する。そのために、光の利用効率が高く、さらに商品側を効率的に照明可能な配光特性と、防水・防塵機能を併せ持つショーケースに好適な明装置となる。
【産業上の利用可能性】
【０１２９】
そのために、本発明に係る照明装置は、上下に複数の棚板を備える多段式のショーケースに用いる照明装置に好適に適用することができる。
【符号の説明】
【０１３０】
１〜１Ｄ    照明装置
２    光源（ＬＥＤ光源）
３Ａ〜３Ｄ  導光体
５    棚板
７〜７Ｄ    防水カバー
１１    第一反射面
１２    第二反射面
１３    フレーム
１４    拡散部
２１    基板
３１    入射面
３２〜３２Ｄ    第一射出面
５０、５０Ａ  棚板ユニット
ＳＣ    ショーケース
【図１】
2012165190.tif 000003
【図２】
2012165190.tif 000004
【図３】
2012165190.tif 000005
【図４】
2012165190.tif 000006
【図５】
2012165190.tif 000007
【図６】
2012165190.tif 000008
【図７】
2012165190.tif 000009
【図８】
2012165190.tif 000010
【図９】
2012165190.tif 000011
【図１０】
2012165190.tif 000012
【図１１】
2012165190.tif 000013
【図１２】
2012165190.tif 000014
【図１３】
2012165190.tif 000015
【国際調査報告】
2012165190.tif 000016
2012165190.tif 000017
2012165190.tif 000018